(57)【要約】【課題】発呼と着呼が衝突した場合でも、発呼の方を優先する通信装置を提供する。【解決手段】発呼すると、回線を閉結し（ＳＴ１）、タイマＴ１　をセットし、タイマＴ１　がタイムアップするまで、ダイヤルトーン検出を行い（ＳＴ２、ＳＴ３、ＳＴ７）、ダイヤルトーンが検出されない場合に、更にタイマＴ２　をセットし、タイマＴ２　がタイムアップするまでＣＮＧ信号検出を行い（ＳＴ８、ＳＴ９、ＳＴ１１）、ＣＮＧ信号が検出された場合に着呼有りとして、回線を所定時間開放する（ＳＴ１０）、その後、ステップＳＴ１に戻り、回線を閉結し、回線からダイヤルトーンを検出し（ＳＴ３）、前発呼のダイヤルパルスを送信し（ＳＴ４）、ＦＡＸ送信を行い（ＳＴ５）、発呼したＦＡＸデータの送信を優先する。【選択図】　　　図２
2004112557.tif 000002
【特許請求の範囲】
【請求項１】
回線に向けて発呼を行う発呼手段と、ダイヤルトーン検出手段と、ＣＮＧ信号検出手段と、発呼による回線閉結時に、前記ダイヤルトーン検出手段で、所定時間にわたりダイヤルトーンが検出されずに、かつその後、所定時間内に前記ＣＮＧ信号検出手段で、ＣＮＧ信号が検出された場合に回線を一時的に開放する制御手段とを備え、前記回線開放後に、前記発呼動作を再度開始するようにしたことを特徴とする通信装置。
【請求項２】
回線に向けて発呼を行う発呼手段と、ダイヤルトーン検出手段と、ＣＮＧ信号検出手段と、タイマ手段とを備え、発呼による回線閉結時に、前記ダイヤルトーン検出手段で、所定時間にわたりダイヤルトーンの有無を判別し、ダイヤルトーン無しの場合に、ＣＮＧ信号検出手段により所定時間にわたりＣＮＧ信号の有無を判別し、ＣＮＧ信号が有りの場合に、回線を一時的に開放し、その後、前記発呼動作を再度開始することを特徴とする通信装置の発着信制御方法。
【発明の詳細な説明】
【０００１】
【発明の属する技術分野】
この発明は、ファクシミリ装置などの、特に着信と発信が衝突した場合の処理に特徴を有する通信装置及び通信装置の発着信制御方法に関する。
【０００２】
【従来の技術】
一般にファクシミリ装置等において、送信すべき相手方に発呼（発信）した場合に、たまたま自装置に対しての着呼（着信）があり、発呼と着呼が衝突する場合がある。この場合、送信処理も受信処理も行われない。このような不具合を解消するために、発呼時に、着呼を検出すると、着呼を優先処理するようにしたものがある。この技術は、具体的には発呼に際し、回線からの発信者を検出しないと、ＣＮＧ検出手段でコーリングトーンを検出し、優先的に受信モードに入るようにしている（例えば、特許文献１参照）。
【０００３】
【特許文献１】
特開平１−３０３８５５号公報
【０００４】
【発明が解決しようとする課題】
上記した特許文献１に記載の技術では、発呼と着呼が衝突した場合には、着呼による受信処理を優先するので、発呼と着呼の衝突により何も処理が進行しないという不具合が解消されたが、ユーザによって、場合により発呼をどうしても優先したいことがある。例えば、指定の時刻にどうしても発信を行わねばならない場合である。このような場合、特許文献１の技術では対応できないという問題がる。
【０００５】
この発明は上記問題点に着目してなされたものであって、発呼と着呼が衝突した場合でも、発呼の方を優先する通信装置及びその発着信制御方法を提供することを目的としている。
【０００６】
【課題を解決するための手段】
この発明の請求項１に係る通信装置は、回線に向けて発呼を行う発呼手段と、ダイヤルトーン検出手段と、ＣＮＧ信号検出手段と、発呼による回線閉結時に、前記ダイヤルトーン検出手段で、所定時間にわたりダイヤルトーンが検出されずに、かつその後、所定時間内に前記ＣＮＧ信号検出手段で、ＣＮＧ信号が検出された場合に回線を一時的に開放する制御手段とを備え、前記回線開放後に、前記発呼動作を再度開始するようにしている。
【０００７】
また、請求項２に係る通信装置の発着信制御方法は、回線に向けて発呼を行う発呼手段と、ダイヤルトーン検出手段と、ＣＮＧ信号検出手段と、タイマ手段とを備え、発呼による回線閉結時に、前記ダイヤルトーン検出手段で、所定時間にわたりダイヤルトーンの有無を判別し、ダイヤルトーン無しの場合に、ＣＮＧ信号検出手段により所定時間にわたりＣＮＧ信号の有無を判別し、ＣＮＧ信号が有りの場合に、回線を一時的に開放し、その後、前記発呼動作を再度開始する。
【０００８】
【発明の実施の形態】
以下、実施の形態により、この発明をさらに詳細に説明する。図１は、この発明の一実施形態ファクシミリ装置の構成を示すブロック図である。
【０００９】
この実施形態ファクシミリ装置は、図１に示すように、ＮＣＵ１と、ＭＯＤＥＭ２と、ＲＯＭ３と、ＲＡＭ４と、画像メモリ５と、ＭＰＵ６と、表示部７と、操作部８と、画像読取部９と、ＣＯＤＥＣ１０と、プリンタ１１と、バス１２とを備えている。
【００１０】
ＮＣＵ１は、電話回線１３との接続を制御するとともに、相手先の電話番号（＝対応したダイヤル信号）の送出機能、及び着信を検出するための機能を備えている。また、ＮＣＵ１は、電話回線１３からダイヤルトーンが送られて来ると、これを受信し、またＣＮＧ（コーリングトーン）信号を受信する。モデム２は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。ＲＯＭ３は装置全体を制御するためのプログラムを記憶する。ＲＡＭ４は、ファクシミリ装置に関する各種情報を一時的に記憶する。画像メモリ５は受信画像データや画像読み取り部９で読み取られた画像データを一時的に記憶する。ＭＰＵ６は、ＲＯＭ３に記憶されたプログラムに従い、装置を構成する各部を制御する。また、ダイヤルトーン検出時間を規定するためのタイマＴ１　６ａと、ＣＮＧ信号検出時間を規定するタイマＴ２　６ｂを内蔵している。表示部７は装置の動作状態等の各種情報、転送時間帯表示等の表示を行う。操作部８はテンキー、ワンタッチキー、スタートキー、その他のキーで構成される。画像読取部９は原稿上の画像データを読み取って、白黒２値のイメージデータを出力する。ＣＯＤＥＣ１０は、送信すべき画データを符号化し、また受信した画データを復号する。プリンタ１１は、電子写真式のプリンタよりなり、受信画像データやコピー動作において、画像読取部９で読み取られた原稿の画像データを記録紙上に記録する。もっとも、ここに示す実施形態ファクシミリ装置のハード構成は、特に新規なものではなく、各回路構成自体は、既によく知られたものである。この実施形態ファクシミリ装置の新規な特徴事項は、後述するように、発呼と着呼が衝突した場合、発呼による送信を優先する処理方法にある。
【００１１】
次に、この実施形態ファクシミリ装置の通信動作を、図２に示すフロー図を参照して説明する。例えば、予め記憶してあるある相手先へのＦＡＸデータの指定送信時刻が到来すると、そのＦＡＸデータの送信指令が出され、装置は図２に示す処理ルーチンに入る。先ず、ステップＳＴ１において、回線を閉結する。次に、ステップＳＴ２へ移行する。ステップＳＴ２においては、タイマＴ１　をセットする（このタイマＴ１　は５秒タイマである）。続いて、ステップＳＴ３へ移行する。
【００１２】
ステップＳＴ３においては、ダイヤルトーンを検出したか否かを判定する。電話回線１３からダイヤルトーンが送られている場合には、ステップＳＴ４へ移行する。一方、ダイヤルトーンが検出されない場合は、ステップＳＴ７へ移行する。ステップＳＴ４においては、ステップＳＴ３でダイヤルトーンが検出されているので、通常のＦＡＸ送信を行うために、相手先のダイヤルパルスを送信する。次にステップ５へ移行する。ステップＳＴ５において、ＦＡＸデータを送信する。そして、ステップＳＴ６へ移行する。ステップＳＴ６においては、電話回線を開放し、ＦＡＸ送信処理を終了する。
【００１３】
ステップＳＴ７においては、タイマＴ１　がタイムアップしたか否かを判定する。セットしてから５秒経過していない場合、つまりタイムアップしていない場合は、ステップＳＴ３へ戻り、ダイヤルトーンの検出を継続する。一方、タイマＴ１　がタイムアップした場合には、ステップＳＴ８へ移行する。ステップＳＴ８においては、４秒タイマＴ２　をセットする。続いて、ステップＳＴ９へ移行する。
【００１４】
ステップＳＴ９においては、ＣＮＧ（コーリングトーン）信号を検出したか否かを判定する。ＣＮＧ信号検出の場合は、ステップＳＴ１０へ移行する。一方、ＣＮＧ信号を検出しない場合は、ステップＳＴ１１へ移行する。ステップＳＴ３でダイヤルトーンを検出せず、ステップＳＴ９でＣＮＧ信号検出の場合は、発呼時に着呼があったことを意味する。そのため、ステップＳＴ１０においては、一旦、回線を所定時間（５秒）開放する。ここで着呼を無効として、ステップＳＴ１へ移行する。ステップＳＴ１１においては、４秒タイマーＴ２　がタイムアップしたか否かを判定する。タイムアップしていない場合は、ステップＳＴ９へ戻り、ＣＮＧ信号の検出を継続する。一方、タイムアップの場合は、ステップＳＴ４へ移行する。
【００１５】
ステップＳＴ１０の回線所定時間開放に続く、ステップＳＴ１においては、再度回線を閉結し、ステップＳＴ２を経て、ステップＳＴ３へ移行する。ステップＳＴ３においては、ダイヤルトーン検出か否か判定するが、ステップＳＴ１０で一旦回線を開放した後なので、ダイヤルトーンが検出される。そのため、次にステップＳＴ４へ移行する。ステップＳＴ４においては、指定時刻に発信に係るデータの相手先のダイヤルパルスを送信する。続いて、ＦＡＸデータを送信し（ステップＳＴ５）、回線を開放してステップＳＴ６を終了する。このように発呼と着呼が衝突した場合、回線を所定時間開放し、発信データを送信するので、指定時刻に確実にデータを送信することができる。
【００１６】
【発明の効果】
この発明によれば、発呼による回線閉結時に、前記ダイヤルトーン検出手段で、所定時間にわたりダイヤルトーンの有無を判別し、ダイヤルトーン無しの場合に、ＣＮＧ信号検出手段により所定時間にわたりＣＮＧ信号の有無を判別し、ＣＮＧ信号が有りの場合に、回線を一時的に開放し、その後、前記発呼動作を再度開始するようにしているので、指定時刻のある発呼時に、発呼と着呼が衝突しても、着呼に妨げられることなく、指定時刻に発呼を行うことができる。
【図面の簡単な説明】
【図１】この発明の一実施形態ファクシミリ装置の構成を示すブロック図である。
【図２】同実施形態ファクシミリ装置の通信処理動作を説明するためのフロー図である。
【符号の説明】
１　　　　ＮＣＵ
２　　　　ＭＯＤＥＭ
３　　　　ＲＯＭ
４　　　　ＲＡＭ
５　　　　画像メモリ
６　　　　ＭＰＵ
６ａ　　　タイマＴ１　
６ｂ　　　タイマＴ２　
７　　　　表示部
８　　　　操作部
９　　　　画像読取部
１０　　　ＣＯＤＥＣ
１１　　　プリンタ
１２　　　バス
１３　　　電話回線
【図１】
2004112557.tif 000003
【図２】
2004112557.tif 000004